(57)【特許請求の範囲】
【請求項１】
木質板材に駆動体が設けられ、
前記木質板材の表裏面のうち一方の面が、前記駆動体の駆動により直接振動する振動面であり、
前記木質板材には、上端部を被固定部に固定して転倒を防止するための突っ張り装置が設けられ、
前記突っ張り装置は、棒状部材と、前記棒状部材を軸方向に移動可能に支持したベースと、前記棒状部材が挿入された第一挿入孔と、を有し、前記第一挿入孔の縁が前記棒状部材に食い込んだ食い込み状態と、前記第一挿入孔に対して前記棒状部材が遊ぶことで食い込みが解除された状態とに回転可能とされたストッパ機構と、前記棒状部材に食い込み自在に設けられ、てこの原理を利用して押圧力を作用させることによって前記棒状部材に食い込み、食い込んだ状態で前記棒状部材を前記ベースに対して押圧方向に移動可能とする倍力機構と、を備えていることを特徴とする木質パネル。
【請求項２】
前記木質板材の板厚内に前記駆動体が配置されていることを特徴とする請求項１に記載の木質パネル。
【請求項３】
前記振動面が、振動面の反対側の面よりも音響反射率の高い第一の部材からなり、
前記反対側の面は、前記振動面よりも音響吸音率が高い第二の部材からなることを特徴とする請求項１又は２に記載の木質パネル。
【請求項４】
一枚の前記第二の部材に、複数の第一の部材が互いに隣接して設けられ、
互いに隣接する第一の部材間を中心として、前記木質板材の表面同士又は裏面同士が互いに向き合うように折り曲げ自在であることを特徴とする請求項３に記載の木質パネル。
【請求項５】
前記駆動体は、前記折り曲げ中心部分の近傍に配置されていることを特徴とする請求項４に記載の木質パネル。
【請求項６】
前記振動面の全面が、一枚の前記第一の部材によって一体形成されていることを特徴とする請求項３〜５のいずれか一項に記載の木質パネル。
【請求項７】
前記第一の部材の内面の少なくとも一部に合板が張り付けられていることを特徴とする請求項６に記載の木質パネル。
【請求項８】
前記第一の部材の外周を前記第二の部材側に固定することによって張力が架けられていることを特徴とする請求項６又は７に記載の木質パネル。
【請求項９】
サラウンドスピーカとして用いられることを特徴とする請求項１〜８のいずれか一項に記載の木質パネル。
【発明の詳細な説明】
【技術分野】
【０００１】
本発明は、木質パネルに関する。
【背景技術】
【０００２】
従来、主にサラウンドスピーカとして使用されるスピーカ装置は、通常、直方体形状のキャビネットにスピーカユニットを取り付けたものが使用されている。また、その他の形状としては、キャビネットを薄型化し板状にして、キャビネットを支持するために下部にスタンドを設けたり、壁掛けとしたものが知られている。また、四角形状の支持枠に振動膜を張設し、支持枠に支持させた加振器により振動膜を振動駆動するように一対の平面スピーカを構成し、これら平面スピーカの上辺部同士を連結して互いに楔状に斜交させた載置姿勢で自立させたスピーカ装置が知られている（例えば、特許文献１参照）。
また、スピーカが外観から見えることにより聴取者が音源を意識してしまい、心理的に自然な雰囲気音として感じることを阻害する場合があるため、スピーカにネット類、格子、穴あき板等のカバーを設けることによってスピーカを隠すことが一般的である。
【特許文献１】特開２００１−１４８８９３号公報
【発明の開示】
【発明が解決しようとする課題】
【０００３】
しかしながら、直方体形状のキャビネットを使用した場合は、スピーカ装置を設置するための設置スペースが必要となり、比較的狭い部屋においては聴取者とスピーカとの距離を適切に取り、快適に聴取することのできるスペースがさらに狭くなってしまうという問題があった。
また、キャビネットを薄型化や板状としたものは、特に低域での周波数特性や高い音圧において十分な性能を得ることが困難であった。
また、スピーカユニットを取り付けたスピーカ装置は音源が比較的小さいため、聴覚上、音源位置が定まってしまい、主として雰囲気音の再生として使用するサラウンドスピーカには不向きであった。
また、スピーカを隠すためにネット類、格子、穴あき板等のカバーを設けた場合は、多少の音質の変化が避けられないという弊害があった。
さらには、スピーカの設置場所や聴取者との距離に応じて音の拡散角度を容易に変えることはできないので、室内音場の調整が困難であった。
【０００４】
本発明は、上記事情に鑑みてなされたもので、高性能でかつ設置スペースを必要とせず、また、聴取者が音源を意識することなく雰囲気音の再生に優れ、しかも音場を容易に変更することのできる木質パネルを提供することを目的としている。
【課題を解決するための手段】
【０００５】
上記課題を解決するため、請求項１の発明は、木質板材に駆動体が設けられ、
前記木質板材の表裏面のうち一方の面が、前記駆動体の駆動により直接振動する振動面であり、
前記木質板材には、上端部を被固定部に固定して転倒を防止するための突っ張り装置が設けられ、
前記突っ張り装置は、棒状部材と、前記棒状部材を軸方向に移動可能に支持したベースと、前記棒状部材が挿入された第一挿入孔と、を有し、前記第一挿入孔の縁が前記棒状部材に食い込んだ食い込み状態と、前記第一挿入孔に対して前記棒状部材が遊ぶことで食い込みが解除された状態とに回転可能とされたストッパ機構と、前記棒状部材に食い込み自在に設けられ、てこの原理を利用して押圧力を作用させることによって前記棒状部材に食い込み、食い込んだ状態で前記棒状部材を前記ベースに対して押圧方向に移動可能とする倍力機構と、を備えていることを特徴とする。
【０００６】
請求項２の発明は、請求項１に記載の木質パネルにおいて、
前記木質板材の板厚内に前記駆動体が配置されていることを特徴とする。
【０００７】
請求項３の発明は、請求項１又は２に記載の木質パネルにおいて、
前記振動面が、振動面の反対側の面よりも音響反射率の高い第一の部材からなり、
前記反対側の面は、前記振動面よりも音響吸音率が高い第二の部材からなることを特徴とする。
【０００８】
請求項４の発明は、請求項３に記載の木質パネルにおいて、
一枚の前記第二の部材に、複数の第一の部材が互いに隣接して設けられ、
互いに隣接する第一の部材間を中心として、前記木質板材の表面同士又は裏面同士が互いに向き合うように折り曲げ自在であることを特徴とする。
【０００９】
請求項５の発明は、請求項４に記載の木質パネルにおいて、
前記駆動体は、前記折り曲げ中心部分の近傍に配置されていることを特徴とする。
【００１０】
請求項６の発明は、請求項３〜５のいずれか一項に記載の木質パネルにおいて、
前記振動面の全面が、一枚の前記第一の部材によって一体形成されていることを特徴とする。
【００１１】
請求項７の発明は、請求項６に記載の木質パネルにおいて、
前記第一の部材の内面の少なくとも一部に合板が張り付けられていることを特徴とする。
【００１２】
請求項８の発明は、請求項６又は７に記載の木質パネルにおいて、
前記第一の部材の外周を前記第二の部材側に固定することによって張力が架けられていることを特徴とする。
【００１３】
請求項９の発明は、請求項１〜８のいずれか一項に記載の木質パネルにおいて、
サラウンドスピーカとして用いられることを特徴とする。
【発明の効果】
【００１４】
本発明によれば、木質板材の表裏面のうち一方の面が、駆動体の駆動によって直接振動する振動面であるので、この振動面から音が放出されて高性能なスピーカとして機能する。また、薄型で設置スペースを取らず、聴取者が音源を意識することなく、雰囲気音の再生に非常に優れる。さらに、音場を容易に変えることができる。
【発明を実施するための最良の形態】
【００１５】
以下、本発明の実施の形態について図面を参照しながら説明する。
図１は、本発明に係る音響パネル１００を表面側から見た際の斜視図、図２は、音響パネル１００を裏面側から見た際の斜視図である。また、図３は、音響パネル１００の平断面図である。
音響パネル（木質パネル）１００は、例えば小ホールや家庭内等の室内に設置してＡＶ機器を再生した場合にサラウンドスピーカとして使用することのできるパネルである。この音響パネル１００は、木質板材１に磁気回路５１とボイスコイル５２とを有する音響駆動ユニット（駆動体）５が設けられたものであって、木質板材１の表裏面のうち表面が、音響駆動ユニット５の駆動により直接振動する振動面とされている。
木質板材１は、二枚の板材本体２，２と、板材本体２，２の裏面に設けられた一枚の第二の部材３とを備えている。
【００１６】
図４は、縦桟材２１と横桟材２２とを縦横に組み付けてなる枠体２３の正面図、図５は、音響パネル１００の音響駆動ユニット５が設けられた側の平断面図である。
板材本体２は、縦桟材２１と横桟材２２とを縦横に組み付けてなる枠体２３の表面に表面材（第一の部材）２４が張り付けられ、枠体２３の裏面に裏面材２５が張り付けられて構成されている。縦桟材２１及び横桟材２２は、断面５０ｍｍ×２５ｍｍの木質材である。
表面材２４は、板厚が約３ｍｍの合板製で、枠体２３の表面とほぼ同じ大きさの矩形板状をなし、枠体２３の表面に接着され固定されている。
裏面材２５は、板厚が約９ｍｍの合板製で、枠体２３の裏面とほぼ同じ大きさの矩形板状をなし、枠体２３の裏面に接着され固定されており、これによって表面材２４と裏面材２５とが互いに平行となるように対向配置されている。
このように裏面材２５は、表面材２４に比べて厚いので、曲げ剛性と質量が表面材２４と比較して非常に大きく、後述する音響駆動ユニット５の磁気回路５１を取り付けた際に十分な剛性が得られるようになっている。一方、表面材２４は、厚さが約３ｍｍであるが、外力に対して使用上必要な強度を有しており、音響駆動ユニット５のボイスコイル５２を取り付けた際の加振時の異音や破損の原因となる芯ズレや傾きが少なく、木質繊維であるから振動特性上、内部損失や分割振動特性等は比較的スピーカに向いている。
上述のように構成された二枚の板材本体２，２が、板材本体２の左右方向に隣接して配された状態で、第二の部材３に各裏面材２５，２５が当接され固定されている。
【００１７】
第二の部材３は、厚さ約８ｍｍの可撓性部材、例えばカーペットなどの繊維質面材又は多孔質面材によって形成されている。そのため、第二の部材３は表面材２４よりも音響吸音率が高く、表面材２４は第二の部材３よりも音響反射率が高くなっている。
二枚の板材本体２，２は、互いに隣接する側端面同士の間隔Ｓ１（図３参照）が約１５ｍｍとなるように離れた状態で第二の部材３に、各裏面材２５，２５が当接するように配置されている。そして、第二の部材３の左右両側端面３a，３aには、各側端面３a，３aを覆うように平断面視略Ｌ字型の補強部材４１，４１が、上下に沿ってそれぞれ配されて、各板材本体２，２の一方の側端部２a，２a（具体的には裏面材２５及び縦桟材２１）に向けてネジＮがねじ込まれている。
また、第二の部材３の左右方向ほぼ中央であって、各板材本体２，２の他方の側端部２b，２bに対応する位置に、平断面視矩形状の補強部材４２，４２が、上下に沿ってそれぞれ配されて、各板材本体２，２の他方の側端部２b，２b（具体的には裏面材２５及び縦桟材２１）に向けてネジＮ，Ｎがねじ込まれている。すなわち、互いに隣接する板材本体２，２の他方の側端部２b，２b間は、第二の部材３のみが設けられており、この他方の側端部２b，２b間を中心として板材本体２，２（表面材２４，２４）同士又は第二の部材３，３同士が互いに向き合うように左右に折り曲げ自在とされている。Ｌ字型の補強部材４１は断面約１０×２０ｍｍ程の木質材で、矩形状の補強部材４２は断面約５×２０ｍｍの木質材である。また、このようにして組み立てられた音響パネル１００の外形寸法は、高さ約１８００ｍｍ、厚さ約３５ｍｍ、左右の一辺（一枚の板材本体２）の長さ約４５０ｍｍである。
【００１８】
図６は、音響パネル１００の折り曲げパターンを示した平断面図であり、(a)は、板材本体２，２が、第二の部材３，３同士が互いに向き合うように折り畳んだ状態、(b)は、(a)の状態から板材本体２，２（表面材２４，２４）同士のなす角度が９０°となるように折り曲げた状態、(c)は、(b)の状態からさらに折り曲げて板材本体２，２同士のなす角度が２７０°となるように折り曲げた状態である。
なお、互いに隣接する板材本体２，２の他方の側端部２b，２bの表面側の角部は面取り加工されており、これによって隣接する板材本体２，２の角部が互いに干渉することなく、(b)に示すように第二の部材３，３同士のなす角度が２７０°まで開くことができるようになっている。また、図６中、音響駆動ユニット５や、表面材２４、裏面材２５等の詳細な図示は図面の関係上省略する。
【００１９】
図７は、図５における表面材２４の変形例であって、音響パネル１００Ａの音響駆動ユニット５が設けられた側の平断面図である。
この表面材２４Ａは、厚さ約０．３ｍｍの天然木薄板を厚さ約０．２ｍｍの紙を裏打ちして補強した突板２４１と、突板２４１の内面に接着された厚さ約２．５ｍｍの合板２４２とからなる。合板２４２は、突板２４１よりも小さく形成されている。そして、枠体２３の表面全面に突板２４１が接着され、枠体２３を構成する縦桟材２１及び横桟材２２の内周面に対して約３０ｍｍの隙間Ｓ２を設けて突板２４１の内面に接着されている。
このように、表面材２４Ａを突板２４１と、突板２４１の内面の一部に張り付けられた合板２４２とから構成して複合素材とすることによって、単一素材のもつ固有の振動特性を緩和し、音響特性を向上させることができる。すなわち、合板２４２を貼り合わせていない突板２４１の全周約３０ｍｍの部分は柔軟性があるので、この部分が撓むことにより合板２４２を貼り合わせた部分の音響駆動ユニット５によるピストン運動が容易となり音響特性が向上する。さらに、合板２４２を接着することで、使用上必要な強度も得ることができる。
なお、突板２４１と合板２４２との隙間Ｓ２は、約３０ｍｍとしたが、約５０ｍｍとしても良く、強度上及び振動伝達上、最小限の厚さ・面積や最適な形状に適宜変更可能である。
【００２０】
その他、図示しないが、表面材２４を、厚さ約０．３ｍｍの天然木薄板を厚さ約０．２ｍｍの紙を裏打ちして補強した突板２４１のみから構成しても良い。この場合、枠体２３の表面全面に突板２４１を接着し、さらに接着剤硬化後に突板２４１の裏面を霧吹き等で十分湿らせた後、完全に乾燥させ、突板２４１の両面を塗装して仕上げる。
このように、表面材２４を突板２４１のみで構成し、接着剤硬化後に突板２４１の裏面を霧吹き等で湿らせ、乾燥させているので、このとき突板２４１が収縮することにより、桟材２１，２２の剛性のために引っ張り応力が生じて確実に固定することができる。すなわち、予め引っ張り応力を加えながら突板２４１を接着する場合に比べて非常に簡単で確実に固定することができる。また、突板２４１の合計厚さが約０．５ｍｍであるが、柔軟性が高く十分な振幅を得ることができ、また適度な張力が加えられているため、後述する音響駆動ユニット５のボイスコイル５２を取り付けた場合に、不要な撓みが抑えられて過度な分割振動による音の歪みを減少させることができる。したがって、音響駆動ユニット５により駆動される部分の振幅方向以外の不要な振動・変位を減少させることができ、音響特性に優れる。しかも軽量化を図ることができる。
上述のように表面材２４の変形例について説明したが、表面材２４の厚さは０．３ｍｍ〜６ｍｍの範囲であれば良く、面積に応じて変更することで表面強度と音響特性を両立させることができる。
【００２１】
また、図３中右側の板材本体２の表面材２４と裏面材２５との間に形成される空間部２６に、音響駆動ユニット５と、音質調整のための吸音材（図示しない）が挿入されている。音響駆動ユニット５は、板材本体２の左右方向及び高さ方向においてほぼ中央の位置に設けられている。
一方、左側の板材本体２の表面材２４と裏面材２５との間に形成される空間部２６には、音響駆動ユニット５は設けられておらず、防震・吸音材（図示しない）が挿入されている。吸音材の材質としては、例えば、テトロンウールやグラスウール等のウール材を使用することができるが、これらの材質に限定するものではない。このように左側の板材本体２の空間部に防震・吸音材を挿入することによって、軽量であっても共振による吸音効果を防止でき、表面材２４側は音響反射効果を得ることができる。
【００２２】
図８は、板材本体２に設けられた音響駆動ユニット５の平断面図である。
音響駆動ユニット５は、磁気回路５１とボイスコイル５２とを備えている。磁気回路５１は、ヨーク５１１と、磁気発生手段となるマグネット５１２と、トッププレート５１３とから構成されている。ヨーク５１１は、鉄製で、裏面材２５に固定される円盤状の円盤部５１１aと、円盤部５１１aの中央から突出する円柱状の円柱部５１１bとを備えている。マグネット５１２は、フェライトマグネットを使用し、中央にヨーク５１１の円柱部５１１aが挿通されるようになっている。トッププレート５１３は、円板の中央にヨーク５１１の円柱部５１１bが挿通できる大きさの円形状の孔部５１３aが形成されている。そして、ヨーク５１１の円盤部５１１aが裏面材２５に接着剤と第二の部材３からネジＮをねじ込むことによって固定され、ヨーク５１１の円柱部５１１bにマグネット５１２が挿通されている。さらに、その円柱部５１１bにトッププレート５１３の孔部５１３aが挿通され、これによってマグネット５１２がヨーク５１１の円盤部５１１aに係止されている。また、トッププレート５１３の孔部５１３aの内周面と円柱部５１１bの外周面との間には空隙が設けられている。このようにして磁気回路５１が形成されている。
【００２３】
一方、ボイスコイル５２は、所定の寸法のコイルボビンにコイル線を巻き付けることにより形成されている。そして、磁気回路５１と対応する表面材２４の内面に、板厚が約１ｍｍのアルミニウム製の補強板５３が接着され、アルミニウム製の補強板５３に板厚が約３ｍｍの耐熱樹脂製の補強リング５４が接着され、この補強リング５４のリング内にボイスコイル５２が挿通され、これによってボイスコイル５２は磁気回路５１と同芯となるように配置されている。また、再生機器（図示しない）とボイスコイル５２とを接続する入力信号用のリード線５５は表面材２４の内面に沿って配線接着されている。ボイスコイル５２のストローク量（可動量）は約±２ｍｍである。
【００２４】
したがって、再生機器から信号が出力されたボイスコイル用の信号は、信号増幅器によって増幅された後、ボイスコイル５２に入力される。これによりボイスコイル５２は低周波数帯域で駆動し表面材２４を振動させ、表面材２４全面から音が放出される。このとき、ボイスコイル５２の先端はアルミニウム製の補強板５３に接着固定されているので、ボイスコイル５２が大音量で発熱しても良好な放熱を行うことができる。
また、表面材２４にボイスコイル５２を設け、裏面材２５に磁気回路５１を設けているので、組み立てやメンテナンスが容易となる。特に、予め、表面材２４を枠体２３に接着しておき、枠体２３と裏面材２５に位置決めガイド（図示しない）を設けておけば、表面材２４とボイスコイル５２及び裏面材２５と磁気回路５１をそれぞれ治具等を使って正確な位置に取り付けておくことにより、裏面材２５を枠体２３に位置決め取り付けすることでボイスコイル５２と磁気回路５１とを同芯に容易に取り付けることができる。
なお、ボイスコイル５２のストローク量は約±１ｍｍとしても良い。約±１ｍｍとした場合、非常に大きな音圧は出せなくなるが、ボイスコイル５２のストローク量が短くなることにより磁気回路５１は磁束を集中使用することができ、設計上小型化、高能率化、低価格化が容易となる。
【００２５】
図９(a)及び図９(b)は、音響駆動ユニット５の配置位置の変形例であり、音響パネル１００Ｂの平断面図である。なお、図９中、表面材２４、裏面材２５等の詳細な図示は図面の関係上省略する。
図９に示すように、音響駆動ユニット５は、右側の板材本体２の折り曲げ中心部分の近傍、すなわち、左右方向における中央から左側の板材本体２側に寄せて配置されている、このように音響駆動ユニット５を他方の板材本体２側に配置することにより、図９(a)，(b)のように二つの板材本体２の折り曲げ角度を変えることにより、直接放射音の角度を矢印Ｋ方向から矢印Ｌ方向のように変えて所望方向への音圧を高めたり、音の拡散度合いを調整して音場をより大幅に変化させることができる。また、設置角度を狭くすればいわゆるホーン効果により前方への放射音圧が高くなる。
【００２６】
その他、音響パネル１００は、以下のように変形した形態において実施することができる。
図１０は、二つの高域音響駆動ユニット５Ｃ，５Ｃと低域音響駆動ユニット５Ｃ’とが設けられた音響パネル１００Ｃであり、(a)は表面側から見た際の斜視図、(b)は裏面側から見た際の斜視図である。
図１０に示すように、上述のように構成された音響駆動ユニット５と同様に構成された高域音響駆動ユニット５Ｃが一方の板材本体２の上下にそれぞれ配され、これら高域音響駆動ユニット５Ｃ，５Ｃ間の中央に上述の構成と同様の低域音駆動ユニット５Ｃ’が配されている。さらに、板材本体２の裏面下端部に、枠体２３内に貫通し、表面材２４を露出させる矩形状の堀込部２７Ｃが形成されている。すなわち、堀込部２７Ｃは、表面材２４を残して第二の部材３及び裏面材２５に形成され、下側の高域音響駆動ユニット５Ｃの下方に位置している。そして、この堀込部２７Ｂにアンプ２８が取り付けられ、出力部が音響駆動ユニット５Ｃ，５Ｃ，５Ｃ’に配線されている。
このように二つの高域音響駆動ユニット５Ｃ，５Ｃと低域音響駆動ユニット５Ｃ’とを設けることによって、再生機器からの伝送を大電力低インピーダンスのスピーカ出力ではなく、小電力高インピーダンスの信号出力とすることができ、小電力高インピーダンスの信号は比較的細い伝送ケーブルであっても電気的ロスや劣化が少ない。すなわち、広い部屋で音響パネル１００Ｃと再生機器との距離が長い場合であっても伝送による音の劣化が少なくなる。
【００２７】
図１１(a)，(b)は、設置面Ｍに設置された音響パネル１００Ｄ，１００Ｅの上端部を被固定部（例えば、天井面）に固定して転倒を防止するための突っ張り装置６Ｄ，６Ｄが設けられた音響パネル１００Ｄ，１００Ｅの斜視図である。
図１１(a)に示すように、板材本体２の表面上端部のほぼ中央に、枠体２３内に貫通し、裏面材２５を露出させる上下に長尺な矩形状の堀込部２７Ｄが形成されている。すなわち、堀込部２７Ｄは、裏面材２５を残して表面材２４に形成され、この堀込部２７Ｄに突っ張り装置６Ｄが取り付けられている。
突っ張り装置６Ｄは、特願２００５−１２３４３６号に開示されているように、棒状部材６１と、棒状部材６１を軸方向に移動可能に支持したベース６２と、棒状部材６１が挿入された第一挿入孔（図示しない）とを有し、第一挿入孔の縁が棒状部材６１に食い込んだ食い込み状態と、第一挿入孔に対して棒状部材６１が遊ぶことで食い込みが解除された状態とに回転可能とされたストッパ機構６３と、棒状部材６１に食い込み自在に設けられ、てこの原理を利用して押圧力を作用させることによって棒状部材６１に食い込み、食い込んだ状態で棒状部材６１をベース６２に対して押圧方向に移動可能とする倍力機構６４とを備えている。具体的な突っ張り装置６Ｄの構成及び動作については、特願２００５−１２３４３６号と同様のためその説明を省略する。
このような突っ張り装置６Ｄのベース６２を堀込部２７Ｄに露出した裏面材２５に当接させてネジ等により固定されている。
【００２８】
一方、図１１(b)では、上記堀込部２７Ｄを形成せずに、板材本体２，２の上端部側端面に上記突っ張り装置６Ｄ，６Ｄが設けられている場合である。具体的に、板材本体２の側端部２a，２a側における上端部側端面に、突っ張り装置６Ｄのベース６２を当接させてネジ等により固定されている。
図１１(a)，（b）に示すように突っ張り装置６Ｄを設けることによって、音響パネル１００Ｄ，１００Ｅを突っ張り装置６Ｄによって設置面Ｍと天井面との間に強固に固定することができ、音響パネル１００Ｄ，１００Ｅの転倒防止を非常に簡単に行うことができる。また、突っ張り装置６Ｄは板材本体２の板厚範囲内に取り付けられているので、板材本体２の表裏面に突出することがなく、収納や運搬に不便となることがない。
【００２９】
次に、音響パネル１００の設置パターンについてそれぞれ説明する。
図１２(a)〜(d)は、音響パネル１００の設置パターンを示した音響パネル１００の斜視図である。上述のように、音響パネル１００は、面取り加工された板材本体２，２と、矩形板状の第二の部材３と、補強板材４１，４２等が接合されてなり、設置面Ｍに対して水平な断面が、複数の互いに角度の異なる直線が組み合わされて形成された多角形状であり、二つの板材本体２，２の側端面間を中心として折り曲げ自在となっているので、設置面Ｍに対して自立して設置することができるようになっている。
図１２(a)では、音響パネル１００は、板材本体２，２を表面側（例えば、室内側）に向け、第二の部材３を裏面側（例えば、壁側）に向けて、二つの板材本体２，２は、各表面材２４，２４同士が互いに向き合うように折り曲げて設置されている。
図１２(b)では、音響パネル１００は、第二の部材３を表面側に向け、板材本体２，２を裏面側に向けて、二つの板材本体２，２は、第二の部材３，３同士が互いに向き合うように折り曲げて設置されている。
図１２(c)では、音響パネル１００は、第二の部材３を表面側に向け、板材本体２，２を裏面側に向けて、二つの板材本体２，２は、各表面材２４，２４同士が互いに向き合うように折り曲げて設置されている。
図１２(d)では、音響パネル１００は、板材本体２，２を表面側に向け、第二の部材３を裏面側に向けて、二つの板材本体２，２は、第二の部材３，３同士が互いに向き合うように折り曲げて設置されている。
【００３０】
以上、本発明の実施の形態によれば、木質板材１に磁気回路５１とボイスコイル５２とを有する音響駆動ユニット５が設けられ、木質板材１の表面材２４が、音響駆動ユニット５の駆動により直接振動する振動面であるので、音響駆動ユニット５で電気信号が振動に変換されて表面材２４が直接振動することにより、表面材２４全体から音が放出されてスピーカとして機能する。すなわち、木質板材１は、一般のコーン形スピーカのコーンが木質繊維材を用いていることからも明らかなように、程良い内部損失と伝播特性を持っており、振動面を木質板材１の表面材２４とすることにより、スピーカとして良好な振動特性を得ることができる。したがって、このような木質板材１をスピーカとして使用でき、また、木質板材１は板状であるので設置の奥行きが少なくて済み、比較的狭い部屋においても聴取者とスピーカの距離を適切に保ち、快適に聴取することのできる面積を広く取り易くなる。また、収納にも好都合である。
【００３１】
また、木質板材１の板厚内（板材本体２内）に音響駆動ユニット５が配置されているので、木質板材１の表面及び裏面に突出物がなく、音響駆動ユニット５に音質に変化を与えるカバー等を設けなくとも安全で破損の恐れが少ない。また、音響駆動ユニット５が外側から視認できることにより聴取者が音源を意識してしまい心理的に自然な雰囲気音として感じることを阻害することもない。さらに、音響特性に影響が少ない範囲で、木質板材１の表面や裏面に写真や壁紙等による意匠を施すこともでき、美観に優れたものとすることができる。
木質板材１は、面取り加工された板材本体２，２と、矩形板状の第二の部材３と、補強板材４１，４２等が接合されてなり、設置面Ｍに対して水平な断面が、複数の互いに角度の異なる直線が組み合わされて形成された多角形状であるので、床上などの設置面Ｍでの安定な自立が可能である。そのため、専用のスタンドや固定のための部品やその取付工事が不要で、設置が簡単である。また、複数の音響反射方向を持つので、拡散反射効果に優れた音響反射板としても使用することができる。
【００３２】
表面材２４が第二の部材３よりも音響反射率の高い合板からなり、第二の部材３は表面材２４よりも音響吸音率が高いカーペット等からなるので、スピーカとして使用しない場合には、室内側に第二の部材３を向けることで吸音板とすることができ、室内の残響音の調整ができる。また、スピーカ又は音響反射板として使用する場合には、室内側に表面材２４を向け、壁側に第二の部材３を向けることで壁と第二の部材３との間の隙間に応じた周波数でできる有害な定在波を吸収・防止することができ、良好な室内音場を作ることができる。
【００３３】
一枚のカーペット等からなる第二の部材３に、二枚の板材本体２，２が互いに隣接して設けられ、板材本体２，２間を中心として、表面材２４，２４同士又は第二の部材３，３同士が互いに向き合うように折り曲げ自在であるので、設置スペースに応じて折り曲げ角度の調節をして自由に設置することができる。また、折り曲げ角度の調節によって音響反射方向を調整でき、室内の音場特性の調整もでき、性能を向上させることができる。また、折り曲げ自在であるため、運搬等も簡単で保管スペースが少なくて済む。さらに、折り曲げ自在であっても蝶番のように回動支持するための微少な隙間を必要としないため、スピーカからの振動による微少隙間が原因のビリ等の異音を発することがなく、音響特性に優れ、一枚の第二の部材３によって二枚の板材本体２，２が折り曲げ自在に連結されているので、折り曲げ部分の破損や劣化を起こしにくい。
【００３４】
振動面の全面が一枚の表面材２４によって一体形成されてなるので、振動面が一体で、外側から振動部分が判別できず、外観が単なる音響反射板と同じとなるので、外観に非常に優れる。また、振動面の面積を広くすることができるので、一定の音圧を得るための振幅が小さくなり歪みの少ない音の再生が容易となり、音響駆動ユニット５も薄型化が容易となる。さらに、別体の振動板部品等が不要であるから部品点数が少なく組み立てが簡単で、安価に製作することができる。
【００３５】
さらに、本発明の音響パネル１００は右側の板材本体２にのみ音響駆動ユニット５が設けられているとしたが、上下を反転させて使用すれば、音響駆動ユニット５の配置が左右に入れ替わるので、一種類の音響パネル１００のみを製造すれば良く、生産効率に優れ、製造コストも低減できる。
また、本発明の音響パネル１００をサラウンドスピーカ専用として設計・調整することにより、特に雰囲気音作りに最適な薄型・高能率・安価なスピーカとすることができる。
【００３６】
なお、本発明は上記実施の形態に限定されるものではなく、その要旨を逸脱しない範囲で適宜変更可能である。
例えば、上記実施の形態では、木質板材１は、面取り加工された板材本体２，２と、矩形板状の第二の部材３と、補強板材４１，４２等が接合されてなり、設置面Ｍに対して水平な断面が、複数の互いに角度の異なる直線が組み合わされて形成された多角形状であるとしたが、円弧状をなした曲面形状であっても良い。
【００３７】
また、音響駆動ユニット５は、二枚の板材本体２，２のうち図３中右側の板材本体２にのみ設けるとしたが、両方の板材本体２，２にそれぞれ設けても良い。
また、音響駆動ユニット５は、二枚の板材本体２，２とこれらの裏面に設けた一枚の第二の部材３とから構成したが、三枚以上の板材本体２，２，…と一枚の第二の部材３とから構成しても良い。
さらに、音響駆動ユニット５を主に磁気回路５１とボイスコイル５２とから構成したが、音響駆動ユニット５として圧電素子を採用するようにしても良い。
【図面の簡単な説明】
【００３８】
【図１】音響パネル１００を表面側から見た際の斜視図である。
【図２】音響パネル１００を裏面側から見た際の斜視図である。
【図３】音響パネル１００の平断面図である。
【図４】縦桟材２１と横桟材２２とを縦横に組み付けてなる枠体２３の正面図である。
【図５】音響パネル１００の音響駆動ユニット５が設けられた側の平断面図である。
【図６】(a)〜(c)は、音響パネル１００の折り曲げパターンを示した平断面図である。
【図７】表面材２４の変形例であって、音響パネル１００Ａの音響駆動ユニット５が設けられた側の平断面図である。
【図８】板材本体２に設けられた音響駆動ユニット５の平断面図である。
【図９】(a)，(b)は、音響駆動ユニット５の配置位置の変形例であり、音響パネル１００Ｂの平断面図である。
【図１０】二つの高域音響駆動ユニット５Ｃ，５Ｃと低域音響駆動ユニット５Ｃ’とが設けられた音響パネル１００Ｃであり、(a)は表面側から見た際の斜視図、(b)は裏面側見た際の斜視図である。
【図１１】(a)，(b)は、突っ張り装置６Ｄ，６Ｄが設けられた音響パネル１００Ｄ，１００Ｅの斜視図である。
【図１２】(a)〜(d)は、音響パネル１００の設置パターンを示した音響パネルの斜視図である。
【符号の説明】
【００３９】
１  木質板材
２  板材本体
３  第二の部材
５  音響駆動ユニット（駆動体）
２３  枠体
２４  表面材（第一の部材）
２５  裏面材
２４１  突板
２４２  合板
１００，１００Ａ  音響パネル（木質パネル）
【図１】
0004631653.tif 000002
【図２】
0004631653.tif 000003
【図３】
0004631653.tif 000004
【図４】
0004631653.tif 000005
【図５】
0004631653.tif 000006
【図６】
0004631653.tif 000007
【図７】
0004631653.tif 000008
【図８】
0004631653.tif 000009
【図９】
0004631653.tif 000010
【図１０】
0004631653.tif 000011
【図１１】
0004631653.tif 000012
【図１２】
0004631653.tif 000013